(57)【要約】  上り共有チャネルの複数の送信方法がサポートされる場合であっても上り共有チャネルの送信を適切に設定すること。上位レイヤシグナリングによってスケジュールされる第１上り共有チャネル、上位レイヤシグナリングによってスケジュールされ下り制御情報によってトリガされる第２上り共有チャネル、及び下り制御情報によってスケジュールされる第３上り共有チャネルに対する設定情報を、上位レイヤシグナリングを介して受信する受信部と、前記設定情報に基づいて、前記第１上り共有チャネル、前記第２上り共有チャネル、及び前記第３上り共有チャネルのうち、少なくとも１つの上り共有チャネルの送信に対し、他の上り共有チャネルの送信と異なる制御を行う制御部と、を有する。
2019142341.tif 000002
【特許請求の範囲】
【請求項１】
上位レイヤシグナリングによってスケジュールされる第１上り共有チャネル、上位レイヤシグナリングによってスケジュールされ下り制御情報によってトリガされる第２上り共有チャネル、及び下り制御情報によってスケジュールされる第３上り共有チャネルに対する設定情報を、上位レイヤシグナリングを介して受信する受信部と、
前記設定情報に基づいて、前記第１上り共有チャネル、前記第２上り共有チャネル、及び前記第３上り共有チャネルのうち、少なくとも１つの上り共有チャネルの送信に対し、他の上り共有チャネルの送信と異なる制御を行う制御部と、を有することを特徴とするユーザ端末。
【請求項２】
前記設定情報は、前記第１上り共有チャネル、前記第２上り共有チャネル、及び前記第３上り共有チャネルのうち、少なくとも２つの上り共有チャネルに対して独立のパラメータを含むことを特徴とする請求項１に記載のユーザ端末。
【請求項３】
前記設定情報は、前記第２上り共有チャネル及び前記第３上り共有チャネルに共通のパラメータと、前記第１上り共有チャネルのみのパラメータと、を含む、又は、前記第１上り共有チャネル及び前記第２上り共有チャネルに共通のパラメータと、前記第３上り共有チャネルのみのパラメータと、を含む、ことを特徴とする請求項２に記載のユーザ端末。
【請求項４】
前記設定情報は、前記第１上り共有チャネル、前記第２上り共有チャネル、及び前記第３上り共有チャネルに共通のパラメータであることを特徴とする請求項１に記載のユーザ端末。
【請求項５】
前記設定情報は、上り共有チャネルに対するリソース割り当てのタイプと、送信電力制御値の累積処理の有無と、上り共有チャネルにおいて送信される上り制御情報に対するリソース量の決定のための情報と、の少なくとも１つの特定のパラメータを含み、
前記制御部は、前記特定のパラメータを用いて、前記第１上り共有チャネル、前記第２上り共有チャネル、及び前記第３上り共有チャネルのうち、少なくとも１つの上り共有チャネルの送信に対し、他の上り共有チャネルの送信と異なる制御を行うことを特徴とする請求項４に記載のユーザ端末。
【請求項６】
上位レイヤシグナリングによってスケジュールされる第１上り共有チャネル、上位レイヤシグナリングによってスケジュールされ下り制御情報によってトリガされる第２上り共有チャネル、及び下り制御情報によってスケジュールされる第３上り共有チャネルに対する設定情報を、上位レイヤシグナリングを介して受信する工程と、
前記設定情報に基づいて、前記第１上り共有チャネル、前記第２上り共有チャネル、及び前記第３上り共有チャネルのうち、少なくとも１つの上り共有チャネルの送信に対し、他の上り共有チャネルの送信と異なる制御を行う工程と、を有することを特徴とするユーザ端末の無線通信方法。
【発明の詳細な説明】
【技術分野】
【０００１】
本発明は、次世代移動通信システムにおけるユーザ端末及び無線通信方法に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８、９）の更なる大容量、高度化などを目的として、ＬＴＥ−Ａ（ＬＴＥアドバンスト、ＬＴＥ  Ｒｅｌ．１０、１１、１２、１３）が仕様化された。【０００３】
ＬＴＥの後継システム（例えば、ＦＲＡ（Future  Radio  Access）、５Ｇ（5th  generation  mobile  communication  system）、５Ｇ＋（plus）、ＮＲ（New  Radio）、ＮＸ（New  radio  access）、ＦＸ（Future  generation  radio  access）、ＬＴＥ  Ｒｅｌ．１４又は１５以降などともいう）も検討されている。【０００４】
既存のＬＴＥシステム（例えば、ＬＴＥ  Ｒｅｌ．８−１３）において、１ｍｓのサブフレーム（伝送時間間隔（ＴＴＩ：Transmission  Time  Interval）などともいう）を用いて、下りリンク（ＤＬ：Downlink）及び／又は上りリンク（ＵＬ：Uplink）の通信が行われる。当該サブフレームは、チャネル符号化された１データパケットの送信時間単位であり、スケジューリング、リンクアダプテーション、再送制御（ＨＡＲＱ：Hybrid  Automatic  Repeat  reQuest）などの処理単位となる。【０００５】
また、無線基地局（例えば、ｅＮＢ（eNode  B））は、ユーザ端末（ＵＥ：User  Equipment）に対するデータの割当て（スケジューリング）を制御し、下り制御情報（ＤＣＩ：Downlink  Control  Information）を用いてデータのスケジューリング指示をＵＥに通知する。例えば、既存のＬＴＥ（例えば、ＬＴＥ  Ｒｅｌ．８−１３）に準拠するＵＥは、ＵＬ送信を指示するＤＣＩ（ＵＬグラントとも呼ばれる）を受信した場合に、所定期間後（例えば、４ｍｓ後）のサブフレームにおいて、ＵＬデータの送信を行う。【０００６】
また、既存のＬＴＥシステム（例えば、ＬＴＥ  Ｒｅｌ．８−１３）においては、ＵＥからｅＮＢに対して、上りリンク信号が適切な無線リソースにマッピングされて送信される。上りユーザデータは、上りリンク共有チャネル（ＰＵＳＣＨ：Physical  Uplink  Shared  Channel）を用いて送信される。また、上りリンク制御情報（ＵＣＩ：Uplink  Control  Information）は、上りユーザデータと共に送信される場合はＰＵＳＣＨを用いて、単独で送信される場合は上りリンク制御チャネル（ＰＵＣＣＨ：Physical  Uplink  Control  Channel）を用いて送信される。
【先行技術文献】
【非特許文献】
【０００７】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００８】
将来の無線通信システム（例えば、ＮＲ）においては、既存のＬＴＥシステムとは異なる構成を用いてデータのスケジューリングを制御することが想定される。例えば、低遅延かつ高い信頼性が求められる通信サービス（例えば、ＵＲＬＬＣ（Ultra  Reliable  and  Low  Latency  Communications））を提供するために、通信遅延の低減（latency  reduction）が検討されている。【０００９】
具体的には、ＵＬデータの送信を開始するまでの遅延時間を短縮するため、動的なＵＬグラント（dynamic  grant）に基づくＵＬデータ送信に加えて、上位レイヤによって設定されたＵＬグラント（例えば、configured  grant）に基づくＵＬデータ送信を適用することが検討されている。【００１０】
また、ＵＬデータ送信において、周期的ＣＳＩ（Ｐ−ＣＳＩ：Periodic  CSI）、非周期的ＣＳＩ（Ａ−ＣＳＩ：Aperiodic  CSI）に加えて、セミパーシステントＣＳＩ（ＳＰ−ＣＳＩ：Semi-Persistent  CSI）が検討されている。【００１１】
しかしながら、ＮＲにおいて、動的なＵＬグラントに基づくＵＬデータ送信、及び上位レイヤによって設定されたＵＬグラントに基づくＵＬデータ送信の設定方法については、まだ検討が進んでいない。適切な設定が行わなければ、通信スループット、通信品質などが劣化するおそれがある。【００１２】
そこで、本開示は、上り共有チャネルの複数の送信方法がサポートされる場合であっても上り共有チャネルの送信を適切に設定するユーザ端末及び無線通信方法を提供することを目的の１つとする。
【課題を解決するための手段】
【００１３】
本発明の一態様に係るユーザ端末は、上位レイヤシグナリングによってスケジュールされる第１上り共有チャネル、上位レイヤシグナリングによってスケジュールされ下り制御情報によってトリガされる第２上り共有チャネル、及び下り制御情報によってスケジュールされる第３上り共有チャネルに対する設定情報を、上位レイヤシグナリングを介して受信する受信部と、前記設定情報に基づいて、前記第１上り共有チャネル、前記第２上り共有チャネル、及び前記第３上り共有チャネルのうち、少なくとも１つの上り共有チャネルの送信に対し、他の上り共有チャネルの送信と異なる制御を行う制御部と、を有することを特徴とする。
【発明の効果】
【００１４】
本開示の一態様によれば、上り共有チャネルの複数の送信方法がサポートされる場合であっても上り共有チャネルの送信を適切に設定できる。
【図面の簡単な説明】
【００１５】
【図１】図１Ａ―図１Ｃは、ＰＵＳＣＨ送信方法の一例を示す図である。
【図２】図２Ａ―図２Ｃは、態様１におけるＰＵＳＣＨ構成パラメータの一例を示す図である。
【図３】態様２におけるＰＵＳＣＨ構成パラメータの一例を示す図である。
【図４】本実施の形態に係る無線通信システムの概略構成の一例を示す図である。
【図５】本実施の形態に係る無線基地局の全体構成の一例を示す図である。
【図６】本実施の形態に係る無線基地局の機能構成の一例を示す図である。
【図７】本実施の形態に係るユーザ端末の全体構成の一例を示す図である。
【図８】本実施の形態に係るユーザ端末の機能構成の一例を示す図である。
【図９】本実施の形態に係る無線基地局及びユーザ端末のハードウェア構成の一例を示す図である。
【発明を実施するための形態】
【００１６】
ＮＲにおいては、低遅延の通信を実現するため、動的なＵＬグラント（dynamic  grant、dynamic  UL  grant）に基づいてＵＬデータを送信する動的グラントベース送信（dynamic  grant-based  transmission、ＤＧ送信）に加えて、上位レイヤによって設定されたＵＬグラント（例えば、configured  grant、configured  UL  grant）に基づいてＵＬデータを送信する設定グラントベース送信（configured  grant-based  transmission、ＣＧ送信）を適用することが検討されている。
【００１７】
ＤＧ送信は、ＤＧ（dynamic  grant-based）  ＰＵＳＣＨ（Physical  Uplink  Shared  Channel）、動的グラントを伴うＵＬ送信（UL  Transmission  with  dynamic  grant）、動的グラントを伴うＰＵＳＣＨ（PUSCH  with  dynamic  grant）、ＵＬグラントありのＵＬ送信（UL  Transmission  with  UL  grant）、ＵＬグラントベース送信（UL  grant-based  transmission）と呼ばれてもよい。
【００１８】
ＣＧ送信は、ＣＧ（configured  grant-based）  ＰＵＳＣＨ、設定グラントを伴うＵＬ送信（UL  Transmission  with  configured  grant）、設定グラントを伴うＰＵＳＣＨ（PUSCH  with  configured  grant）、ＵＬグラントなしのＵＬ送信（UL  Transmission  without  UL  grant）、ＵＬグラントフリー送信（UL  grant-free  transmission）と呼ばれてもよい。また、ＣＧ送信は、ＵＬ  セミパーシステントスケジューリング（ＳＰＳ：Semi-Persistent  Scheduling）の１種類として定義されてもよい。
【００１９】
動的グラント及び設定グラントは、実際のＵＬグラント（actual  UL  grant）と呼ばれてもよい。
【００２０】
図１Ａに示すように、ＤＧ送信においては、ＮＷ（ネットワーク、例えば、無線基地局、ＢＳ（Base  Station）、送受信ポイント（ＴＲＰ：Transmission/Reception  Point）、ｅＮＢ（eNodeB）、ｇＮＢ（NR  NodeB）などと呼ばれてもよい）が、ＵＬデータ（ＰＵＳＣＨ：Physical  Uplink  Shared  Channel）の割り当てを指示する下り制御チャネル（ＵＬグラント、動的グラント）をＵＥに送信し、当該ＵＥがＵＬグラントに従ってＵＬデータを送信する。
【００２１】
一方、ＣＧ送信においては、ＵＥは、動的なＵＬグラントを受信することなくＵＬデータを送信する。なお、ＣＧ送信では、ＵＬデータ送信を行うための直接のＰＤＣＣＨによるＵＬグラント（dynamic  grant）が無いことを意味しており、例えば、ＵＬグラント（configured  grant）として、ＣＧ送信を設定するＲＲＣシグナリングや、ＣＧ送信をアクティベートする物理レイヤシグナリング（例えば、下り制御情報（ＤＣＩ：Downlink  Control  Information））を適用することも可能である。
【００２２】
ＣＧ送信の制御について、いくつかのタイプ（タイプ１、タイプ２など）が検討されている。
【００２３】
例えば、図１Ｂに示すように、ＣＧタイプ１送信において、ＣＧ送信に用いるパラメータ（ＣＧ送信パラメータ、ＣＧパラメータなどと呼ばれてもよい）は、上位レイヤシグナリングのみを用いてＵＥに設定される。ＣＧパラメータは、例えばＣＧリソースを特定する情報を含んでもよい。また、ＣＧ送信が設定されている場合であっても、送信バッファにデータがない場合は、ＵＥはＣＧ送信をスキップしてもよい。
【００２４】
例えば、図１Ｃに示すように、ＣＧタイプ２送信において、ＣＧ送信に用いるパラメータは、上位レイヤシグナリングによってＵＥに設定される。既存のＬＴＥにおけるＳＰＳと同様に、ＵＥは、所定のアクティベーション／ディアクティベーション信号に基づいて、ＣＧ送信用のリソース（ＣＧリソースなどと呼ばれてもよい）を用いた送信を行うか否かを判断することができる。また、ＣＧ送信がアクティベートされている場合であっても、送信バッファにデータがない場合は、ＵＥはＣＧ送信をスキップしてもよい。
【００２５】
ＤＣＩ（アクティベーションシグナリング）が、ＳＰＳ（Semi-Persistent  Scheduling）によって設定されるＰＵＳＣＨをアクティベートし、ＤＣＩ（ディアクティベーションシグナリング）又は所定時間の経過が、ＰＵＳＣＨを解放（release、deactivate）してもよい。
【００２６】
ＵＥは、ＣＧタイプ２送信に対する所定のアクティベーション／ディアクティベーション信号の受信に応じて、確認応答（ＡＣＫ：Acknowledgement）を送信してもよい。当該ＡＣＫは、例えばＭＡＣ  ＣＥを用いて送信されてもよい。
【００２７】
ここで、上位レイヤシグナリングは、例えば、ＲＲＣ（Radio  Resource  Control）シグナリング、ＭＡＣ（Medium  Access  Control）シグナリング、ブロードキャスト情報などのいずれか、又はこれらの組み合わせであってもよい。
【００２８】
ＭＡＣシグナリングは、例えば、ＭＡＣ制御要素（ＭＡＣ  ＣＥ（Control  Element））、ＭＡＣ  ＰＤＵ（Protocol  Data  Unit）などを用いてもよい。ブロードキャスト情報は、例えば、マスタ情報ブロック（ＭＩＢ：Master  Information  Block）、システム情報ブロック（ＳＩＢ：System  Information  Block）、最低限のシステム情報（ＲＭＳＩ：Remaining  Minimum  System  Information）などであってもよい。
【００２９】
ＣＧタイプ２送信において、パラメータの一部（例えば、波形（waveform）、周期など）が、上位レイヤシグナリングを用いてＵＥに設定されてもよい。ＣＧタイプ２送信の場合、その他のパラメータは例えばアクティベーション信号によって指定されてもよい。当該アクティベーション信号は、例えばＲＲＣシグナリングで設定されるアクティベーション信号用の無線ネットワーク一時識別子（ＲＮＴＩ：Cell-Radio  Network  Temporary  Identifier）によって巡回冗長検査（ＣＲＣ：Cyclic  Redundancy  Check）ビットがマスキング（スクランブル）されたＰＤＣＣＨ（又は、ＤＣＩ）であってもよい。
【００３０】
ところで、既存のＬＴＥシステム（例えば、ＬＴＥ  Ｒｅｌ．８−１３）では、ユーザ端末（ＵＥ：User  Equipment）は、ＵＬデータチャネル（例えば、ＰＵＳＣＨ：Physical  Uplink  Shared  Channel）及び／又はＵＬ制御チャネル（例えば、ＰＵＣＣＨ：Physical  Uplink  Control  Channel）を用いて、上りリンク制御情報（ＵＣＩ：Uplink  Control  Information）を送信する。
【００３１】
ＵＬ伝送において低いＰＡＰＲ（Peak-to-Average  Power  Ratio）及び／又は低い相互変調歪（ＩＭＤ：inter-modulation  distortion）を達成する方法として、ＵＣＩ送信とＵＬデータ（ＵＬ−ＳＣＨ）送信が同じタイミングで生じた場合に、ＵＣＩとＵＬデータをＰＵＳＣＨに多重して伝送（ピギーバック（piggyback））する方法がある。
【００３２】
既存のＬＴＥシステムでは、ＰＵＳＣＨを利用してＵＬデータとＵＣＩ（例えば、Ａ／Ｎ）を送信する場合、ＵＬデータにパンクチャ（puncture）処理を行い、当該パンクチャ処理されたリソースにＵＣＩを多重する。これは、既存のＬＴＥシステムでは、ＰＵＳＣＨに多重されるＵＣＩの容量（又は、割合）がそこまで多くならないこと、及び／又は、ＵＥにおけるＤＬ信号の検出ミスが生じた場合でも基地局における受信処理の複雑化を抑制するためである。
【００３３】
データをパンクチャ処理するとは、データ用に割り当てられたリソースを使えることを想定して（又は、使用できないリソース量を考慮しないで）符号化を行うが、実際に利用できないリソース（例えば、ＵＣＩ用リソース）に符号化シンボルをマッピングしない（リソースを空ける）ことをいう。受信側では、当該パンクチャされたリソースの符号化シンボルを復号に用いないようにすることで、パンクチャによる特性劣化を抑制することができる。
【００３４】
ＮＲにおいては、ＰＵＳＣＨを利用してＵＬデータとＵＣＩを送信する場合、ＵＬデータにレートマッチング（rate-matching）処理を適用することも検討されている。
【００３５】
データをレートマッチング処理するとは、実際に利用可能な無線リソースを考慮して、符号化後のビット（符号化ビット）の数を制御することをいう。実際に利用可能な無線リソースにマッピング可能なビット数よりも符号化ビット数が少ない場合、符号化ビットの少なくとも一部が繰り返されてもよい。当該マッピング可能なビット数よりも符号化ビット数が多い場合、符号化ビットの一部が削除されてもよい。
【００３６】
ＵＬデータにレートマッチング処理を行うことにより、実際に利用可能となるリソースを考慮するため、パンクチャ処理と比較して符号化率が高くなるように（高い性能で）符号化を行うことができる。したがって、例えば、ＵＣＩのペイロードサイズが大きい場合にパンクチャ処理にかえてレートマッチング処理を適用することにより、より高い品質でＵＬ信号の生成が可能となるため、通信品質を向上することができる。
【００３７】
また、ＮＲにおいては、ＳＰＳによって設定されるＣＳＩ報告であるセミパーシステントＣＳＩ（ＳＰ−ＣＳＩ：Semi-Persistent  CSI）が検討されている。ＳＰ−ＣＳＩは、ＣＧタイプ２送信と同様、上位レイヤシグナリングによって設定され、ＤＣＩによってアクティベーション／ディアクティベーションが行われる。
【００３８】
ところで、ＰＵＳＣＨ送信のための上位レイヤパラメータ（例えば、ＰＵＳＣＨ構成（PUSCH  configuration、PUSCH-Config）パラメータ）、ＳＰＳ送信のための上位レイヤパラメータ（例えば、SPS  configuration、SPS-Config）パラメータ）が検討されている。これらの上位レイヤパラメータは、例えば、次のパラメータの少なくとも１つを含んでもよい。
【００３９】
（１）繰り返し送信回数Ｋ（Repetition  number  K）
例えば、このパラメータは、｛１、２、４、８｝の１つを設定する。
【００４０】
（２）周波数ホッピング（frequencyHopping）
例えば、このパラメータは、｛モード１、モード２｝の１つを設定する。モード１は、スロット内（intra-slot）周波数ホッピングを示し、モード２はスロット間（inter-slot）周波数ホッピングを示す。
【００４１】
（３）リソース割り当て（Resource  allocation：ＲＡ）タイプ（Resource  allocation  type）
例えば、このパラメータは、ＲＡタイプ０と、ＲＡタイプ１と、ＲＡタイプ０及び１のダイナミックスイッチングと、の１つを設定する。ＲＡタイプの詳細は、後述する。
【００４２】
（４）復調用参照信号（ＤＭＲＳ：Demodulation  Reference  Signal）タイプ
例えば、このパラメータは、複数のＤＭＲＳタイプの１つを設定する。ＤＭＲＳタイプは、物理レイヤにおけるＤＭＲＳのマッピングのパターンを示す。
【００４３】
（５）ＤＭＲＳ追加位置（dmrs-AdditionalPosition）
例えば、このパラメータは、追加のＤＭＲＳのシンボルを設定する。仕様に規定されたＤＭＲＳの他に、追加のＤＭＲＳを用いることによって、移動に追従する性能を高めることができる。
【００４４】
（６）位相追従（ＰＴＲＳ：Phase  Tracking  Reference  Signal）（phaseTracking-RS）
高い周波数においては、１送信区間（例えば、スロット、伝送時間間隔（Transmission  Time  Interval：ＴＴＩ））の間に、位相がずれる場合がある。ＰＴＲＳは、他のＲＳよりも時間方向に密に配置され、位相の追従に用いられる。例えば、このパラメータは、ＰＴＲＳの有効（enable）又は無効（disable）を設定する。
【００４５】
（７）送信電力制御（Transmission  Power  Control：ＴＰＣ）累積処理（Accumulation）（tpcAccumulation）
例えば、このパラメータは、ＴＰＣコマンドによって通知される値を累積するか否かを設定する。ＴＰＣ累積処理の詳細は、後述する。
【００４６】
（８）ＰＵＳＣＨ  ＴＰＣ用ＲＮＴＩ（Radio  Network  Temporary  Identifier）（tpc-PUSCH-RNTI）
例えば、このパラメータは、ＰＵＳＣＨのためのＴＰＣに用いられるＲＮＴＩを設定する。
【００４７】
（９）レートマッチング（rateMatching）
例えば、このパラメータは、ＰＵＳＣＨに対し、全バッファを用いるレートマッチング（Full  Buffer  Rate-Matching：ＦＢＲＭ）と、制限されたバッファを用いるレートマッチング（Limited  Buffer  Rate-Matching：ＬＢＲＭ）と、のいずれかを設定する。
【００４８】
（１０）レートマッチングリソース（rateMatchResources）
例えば、このパラメータは、レートマッチングを行うＰＵＳＣＨの周りのリソースを設定する。
【００４９】
（１１）ＵＣＩ  ｏｎ  ＰＵＣＣＨ用パラメータ（uci-on-PUSCH）
例えば、このパラメータは、ＵＣＩ  ｏｎ  ＰＵＣＣＨのリソース量の決定に用いられるダイナミック（dynamic、動的）ベータオフセット（beta  offset）の値の複数の候補、又はセミスタティック（semi-static、準静的）ベータオフセットの１つの値、のいずれかを設定する。ＵＣＩ  ｏｎ  ＰＵＣＣＨ用パラメータの詳細は、後述する。
【００５０】
しかしながら、ＣＧタイプ１送信と、ＣＧタイプ２送信と、ＤＧ送信と、ＰＵＳＣＨ上のＳＰ−ＣＳＩ報告とに対し、これらのパラメータの少なくとも１つがどのように設定されるかが決められていない。それぞれのＵＬ送信方法に対し、適切にパラメータが設定されなければ、通信スループット及び／又は通信品質などが劣化するおそれがある。
【００５１】
本発明者らは、ＣＧ送信、ＤＧ送信、ＰＵＳＣＨ上のＳＰ−ＣＳＩ報告に対するパラメータの設定及び制御について検討し、本発明に至った。
【００５２】
以下、本開示の実施形態について詳細に説明する。以下の態様はそれぞれ単独で適用してもよいし、組み合わせて適用してもよい。
【００５３】
なお、ＵＣＩは、スケジューリング要求（ＳＲ：Scheduling  Request）、ＤＬデータチャネル（例えば、ＰＤＳＣＨ（Physical  Downlink  Shared  Channel））に対する送達確認情報（ＨＡＲＱ−ＡＣＫ：Hybrid  Automatic  Repeat  reQuest−Acknowledge、ＡＣＫ又はＮＡＣＫ（Negative  ＡＣＫ）又はＡ／Ｎ等ともいう）、チャネル状態情報（ＣＳＩ：Channel  State  Information）、ビームインデックス情報（ＢＩ：Beam  Index）、バッファステータスレポート（ＢＳＲ：Buffer  Status  Report）の少なくとも一つを含んでもよい。
【００５４】
以下の実施形態において、「データ」、「データチャネル（例えばＰＵＳＣＨ）」、「データチャネルのリソース」などは、相互に読み替えられてもよい。
【００５５】
（態様１）
態様１では、複数のＵＬ送信方法（ＣＧタイプ１送信、ＣＧタイプ２送信、ＤＧ送信）の少なくとも２つに対して独立の設定が行われる。言い換えれば、少なくとも１つのＵＬ送信方法の設定は、他のＵＬ送信方法の設定とは別に行われる。ＮＷは、複数のＵＬ送信方法にそれぞれ対応する複数のパラメータを、上位レイヤシグナリングによってＵＥへ通知する。
【００５６】
少なくとも１つのＵＬ送信方法に対するパラメータの数は、他のＵＬ送信方法に対するパラメータの数と同じであってもよいし、異なってもよい。少なくとも１つのＵＬ送信方法に対する或るパラメータの値は、他のＵＬ送信方法に対する当該パラメータの値と同じであってもよいし、異なってもよい。
【００５７】
具体的には、次の態様１−１、１−２、１−３の１つが用いられてもよい。
【００５８】
＜態様１−１＞
図２Ａに示すように、ＣＧタイプ１送信と、ＣＧタイプ２送信と、ＤＧ送信と、に対して独立のパラメータが設定される。
【００５９】
ＣＧタイプ１送信と、ＣＧタイプ２送信と、ＤＧ送信と、に対して異なるパラメータが定義されてもよい。
【００６０】
ＮＷは、特定のパラメータについて、ＣＧタイプ１送信と、ＣＧタイプ２送信と、ＤＧ送信と、に対し、同じ値を設定してもよいし、異なる値を設定してもよい。
【００６１】
＜態様１−２＞
図２Ｂに示すように、ＣＧタイプ１送信と、ＤＧ送信と、に対して独立のパラメータが設定され、ＤＧ送信と、ＣＧタイプ２送信と、に対して共通のパラメータが設定される。
【００６２】
ＣＧタイプ２送信とＤＧ送信とは、ＤＣＩを利用でき、ＣＧタイプ１送信はＤＣＩを利用できない。
【００６３】
上位レイヤシグナリングによって特定のパラメータに対する複数のオプションが設定される場合、ＣＧタイプ２送信のアクティベーション又はディアクティベーションシグナリング（ＤＣＩ）は、オプション選択のフィールドを含んでもよい。オプション選択のフィールドは、複数のオプションの１つをＵＥに選択させてもよい。
【００６４】
＜態様１−３＞
図２Ｃに示すように、ＣＧタイプ１送信と、ＤＧ送信と、に対して独立のパラメータが設定され、ＣＧタイプ１送信と、ＣＧタイプ２送信と、に対して共通のパラメータが設定される。
【００６５】
この設定によって、ＤＧ送信と、ＣＧ送信（ＣＧタイプ１送信及びＣＧタイプ２送信）に対して独立のパラメータが設定される。
【００６６】
ＣＧタイプ２送信のためのアクティベーション又はディアクティベーションのＤＣＩにおけるオプション選択（例えば、上位レイヤによって設定された複数のオプションの１つを選択する）のフィールドは、ＤＧ送信において無視されてもよいし、予備であってもよいし、ＣＧタイプ２送信のための特別な値にセットされてもよい。
【００６７】
態様１によれば、各ＵＬ送信方法に適したパラメータを設定できるため、柔軟な設定を行うことができる。特にＣＧタイプ２送信に対して柔軟な設定を行うことができる。また、ＵＥの処理が簡単になり、処理負荷を抑えることができる。
【００６８】
（態様２）
態様２では、図３に示すように、全てのＵＬ送信方法（ＣＧタイプ１送信、ＣＧタイプ２送信、ＤＧ送信）に対して、共通の設定が行われる。ＮＷは、全てのＵＬ送信方法に共通のパラメータを、上位レイヤシグナリングによってＵＥへ通知する。
【００６９】
ＵＥは、全てのＵＬ送信方法に対して共通に設定される上位レイヤパラメータ（共通パラメータ）のうち、特定のパラメータに対し、ＵＬ送信方法に対応する処理を行ってもよい。言い換えれば、ＵＥは、特定のパラメータに基づいて、少なくとも１つのＵＬ送信方法に対し、他のＵＬ送信方法と異なる制御を行ってもよいし、特定のパラメータについて、少なくとも１つのＵＬ送信方法に対し、他のＵＬ送信方法と異なる解釈を行ってもよい。
【００７０】
特定のパラメータは、リソース割り当て（Resource  Allocation：ＲＡ）タイプ、送信電力制御（Transmission  Power  Control）累積処理（tcpAccumulation）、ＵＣＩ  ｏｎ  ＰＵＳＣＨ用パラメータ（uci-on-PUSCH）の少なくとも１つであってもよい。
【００７１】
＜ＲＡタイプ＞
ＲＡタイプのパラメータは、ＲＡタイプ０と、ＲＡタイプ１と、ＲＡタイプ０及び１のダイナミックスイッチングと、の１つの値を示す。
【００７２】
ＲＡタイプ０は、ＰＵＳＣＨに割り当てられる周波数リソースを、ビットマップによって設定する。具体的には、帯域がリソースブロックグループ（ＲＢＧ）単位に分けられ、ビットマップの各ビットが、対応するＲＢＧがスケジュールされるか（１）否か（０）を示す。ビットマップは、当該ＰＵＳＣＨをスケジュールするＤＣＩに含まれてもよいし、当該ＰＵＳＣＨをアクティベートするＤＣＩ（アクティベーションＤＣＩ）に含まれてもよいし、上位レイヤシグナリングによって通知されてもよい。
【００７３】
ＲＡタイプ１は、ＰＵＳＣＨに割り当てられる周波数リソースを、リソース指示値（Resource  Indication  Value：ＲＩＶ）によって設定する。ＲＩＶは、例えば、開始仮想ブロック（インデックス）（ＲＢｓｔａｒｔ）と、連続して割り当てられたＲＢの数（レングス）（ＬＲＢｓ）と、アクティブキャリアＢＷＰ（Bandwidth  Part、部分帯域）内のＰＲＢ数（ＮｓｉｚｅＢＷＰ）と、に基づいて算出される。ＲＩＶは、当該ＰＵＳＣＨをスケジュールするＤＣＩに含まれてもよいし、当該ＰＵＳＣＨをアクティベートするＤＣＩ（アクティベーションＤＣＩ）に含まれてもよいし、上位レイヤシグナリングによって通知されてもよい。
【００７４】
ＲＡタイプがダイナミックスイッチングに設定された場合、ＤＣＩ内の１ビットのフィールドが、当該ＤＣＩによってスケジュールされるデータに対するＲＡがＲＡタイプ０及びＲＡタイプ１のいずれであるかを示す。
【００７５】
しかしながら、ＣＧタイプ１送信は、ＤＣＩを利用できない。
【００７６】
ＲＡタイプがダイナミックスイッチに設定された場合、ＵＥは、次のオプション１、２、３の１つに従って、ＣＧタイプ１送信に対するＲＡタイプを決定してもよい。
【００７７】
《オプション１》
ＵＥは、ＣＧタイプ１送信に対し、ＲＡタイプのフィールドを無視し、ＣＧタイプ１送信に対して常にＲＡタイプ１を用いる。例えば、ＵＥは、ＲＩＶに基づいて、ＣＧタイプ１送信に割り当てられたリソースを認識する。ＣＧタイプ１送信に対するＲＩＶは、上位レイヤシグナリングによって設定されてもよいし、共通パラメータに含まれてもよい。
【００７８】
《オプション２》
ＣＧタイプ１送信のための波形がＵＥに設定されてもよい。波形は、ＤＦＴ拡散ＯＦＤＭ（ＤＦＴ−Ｓ−ＯＦＤＭ：Discrete  Fourier  Transform−Spread−Orthogonal  Frequency  Division  Multiplexing）であってもよいし、サイクリックプリフィクスＯＦＤＭ（ＣＰ−ＯＦＤＭ：Cyclic  Prefix−Orthogonal  Frequency  Division  Multiplexing）であってもよい。ＤＦＴ−ｓ−ＯＦＤＭは、シングルキャリア波形、ＤＦＴプリコーディング（又は変換プリコーディング（transform  precoding））が適用されるＵＬ信号と言い換えることができる。ＣＰ−ＯＦＤＭは、マルチキャリア波形、ＤＦＴプリコーディングが適用されないＵＬ信号と言い換えることができる。
【００７９】
ＵＥは、ＣＧタイプ１送信に対し、ＲＡタイプのフィールドを無視し、ＣＧタイプ１送信に対して設定された波形に基づいて、ＣＧタイプ１送信に対するＲＡタイプを決定する。例えば、ＵＥは、ＣＧタイプ１送信に対してＤＦＴ−ｓ−ＯＦＤＭ波形を設定された場合、ＣＧタイプ１送信に対してＲＡタイプ１を用い、ＣＧタイプ１送信に対してＣＰ−ＯＦＤＭ波形を設定された場合、ＣＧタイプ１送信に対してＲＡタイプ０を用いる。ＣＧタイプ１送信に対するＲＩＶは、上位レイヤシグナリングによって設定されてもよいし、共通パラメータに含まれてもよい。ＣＧタイプ１送信に対するビットマップは、上位レイヤシグナリングによって通知されてもよいし、共通パラメータに含まれてもよい。
【００８０】
《オプション３》
ＵＥは、ＣＧタイプ１送信に対し、ＲＡタイプのフィールドを無視し、ビットマップ（周波数領域リソース割り当て情報、周波数領域リソース割り当てフィールド）に基づいて、ＣＧタイプ１送信に対するＲＡタイプを決定する。例えば、ＵＥは、ビットマップに基づいて、ＣＧタイプ１送信に割り当てられたリソースを認識する。ＣＧタイプ１送信に対するビットマップは、上位レイヤシグナリングによって通知されてもよいし、共通パラメータに含まれてもよい。例えば、ＵＥは、ビットマップにおいて「１」が連続する場合（連続する「１」の数が所定数以上である場合）、ＣＧタイプ１送信に対してＲＡタイプ０を用い、そうでない場合、ＣＧタイプ１送信に対してＲＡタイプ１を用いる。ＲＡタイプ１におけるリソース割り当ては、典型的なケースにおいて連続する「１」を有しないため、連続する「１」がある場合、ＵＥはＲＡタイプ０と解釈する。
【００８１】
＜ＴＣＰ累積処理＞
ＵＥは、ＴＣＰ累積処理のパラメータ（tcpAccumulation）に従って、ＣＧ送信及びＤＧ送信に対する送信電力制御（Transmission  Power  Control：ＴＰＣ）コマンドの処理を決定する。
【００８２】
tcpAccumulationが有効（enabled）である場合、ＣＧ送信及びＤＧ送信に対し、ＴＰＣコマンドにおける補正値（correction  value）を累積してＰＵＳＣＨ電力調整状態（PUSCH  power  control  adjustment  state）を算出するＴＰＣ累積処理（Accumulation）が行われる。そうでない場合、ＣＧ送信及びＤＧ送信に対し、ＴＰＣ累積処理が行われず、ＰＵＳＣＨ電力調整状態はＴＰＣコマンドにおける補正値である。
【００８３】
tcpAccumulationが有効である場合、ＵＥは、次のオプション１、２の１つに従って、ＴＰＣ累積処理を行ってもよい。
【００８４】
《オプション１》
ＣＧ送信及びＤＧ送信に対して独立のＴＰＣ累積処理（process）が行われる。
【００８５】
ＴＰＣ累積処理は、ＣＧ送信とＤＧ送信に対して独立に行われる。ＤＧ送信をスケジュールするＵＬグラント（ＤＣＩ）内のＴＰＣコマンドは、ＣＧ送信に適用されない。ＣＧタイプ２送信をアクティベートするＤＣＩ内のＴＰＣコマンドは、ＤＧ送信に適用されない。言い換えれば、ＵＥは、ＣＧ送信用の累積値（ＰＵＳＣＨ電力調整状態）と、ＤＧ送信用の累積値（ＰＵＳＣＨ電力調整状態）と、を独立に算出する。
【００８６】
なお、独立に算出されるＣＧ送信用の累積値（ＰＵＳＣＨ電力調整状態）と、ＤＧ送信用の累積値（ＰＵＳＣＨ電力調整状態）と、について、累積値のリセット条件は、独立に設定されてもよい。例えば、ＣＧ送信用の送信電力パラメータが変更された場合は、ＣＧ送信用の累積値（ＰＵＳＣＨ電力調整状態）のみを０にリセットし、ＤＧ送信用の送信電力パラメータが変更された場合は、ＤＧ送信用の累積値（ＰＵＳＣＨ電力調整状態）のみを０にリセットするとしてもよい。または、ＣＧ送信用の送信電力パラメータが変更された場合も、ＤＧ送信用の送信電力パラメータが変更された場合も、ＣＧ送信用の累積値（ＰＵＳＣＨ電力調整状態）とＤＧ送信用の累積値（ＰＵＳＣＨ電力調整状態）の両方を０にリセットするとしてもよい。
【００８７】
《オプション２》
ＣＧ送信及びＤＧ送信に対して共有のＴＰＣ累積処理が行われる。
【００８８】
ＤＣＩ内のいかなるＴＰＣコマンドもＣＧ送信及びＤＧ送信の両方に適用される。言い換えれば、ＵＥは、ＣＧ送信及びＤＧ送信の両方のための累積値（ＰＵＳＣＨ電力調整状態）を算出する。
【００８９】
＜ＵＣＩ  ｏｎ  ＰＵＳＣＨ用パラメータ＞
ＵＥは、ＵＣＩ  ｏｎ  ＰＵＳＣＨ用パラメータ（uci-on-PUSCH）に従って、ＣＧ送信及びＤＧ送信におけるベータオフセットの処理を決定する。
【００９０】
ＵＥは、ＵＣＩ  ｏｎ  ＰＵＳＣＨを送信する場合に、ＵＣＩの送信に用いられるリソース量（例えば、リソース要素（ＲＥ：Resource  Element）の数）、ＵＣＩのビット数、変調次数に基づいて、ＰＵＳＣＨを用いて送信されるＵＣＩの符号化率を決定してもよい。そのために、ＵＥは、当該ＵＣＩのためのリソース量（例えば、ＲＥ数）を決定してもよい。ＵＥは、当該リソース量の決定に用いられる情報（ＵＣＩリソース関連情報、ベータオフセット（beta  offset）、βＯｆｆｓｅｔなどともいう）を受信し、当該ベータオフセットに基づいて、ＰＵＳＣＨで伝送されるＵＣＩ用のリソース量を決定してもよい。また、ベータオフセット値に基づいて、ＵＣＩを含むＰＵＳＣＨの送信電力が決定されてもよい。
【００９１】
ＵＣＩ  ｏｎ  ＰＵＳＣＨ用パラメータは、ＵＣＩ  ｏｎ  ＰＵＳＣＨに対し、セミスタティックベータオフセット又はダイナミックベータオフセットを、ＵＥに設定できる。
【００９２】
セミスタティックベータオフセットが用いられる場合、ＵＣＩ用のＲＥの数を決定するための１つのパラメータ（ベータオフセットの値）が、ＲＲＣシグナリングによって設定される。ダイナミックベータオフセットが用いられる場合、ＵＣＩ用のＲＥの数を決定するための複数のパラメータ（ベータオフセットの値の複数の候補）が、ＲＲＣシグナリングによって設定され、複数のパラメータの１つがＤＣＩによって動的に選択される。
【００９３】
よって、ＣＧタイプ１送信は、ダイナミックベータオフセットは利用できない。また、ＣＧタイプ２送信は、アクティベーションＤＣＩを用いることによってダイナミックベータオフセットを用いることも、ＣＧタイプ１送信に対して設定された１つのパラメータによってセミスタティックベータオフセットを用いることも可能である。
【００９４】
ＣＧ送信を用いるＵＣＩ  ｏｎ  ＰＵＳＣＨが、ＵＣＩ  ｏｎ  ＣＧ  ＰＵＳＣＨと呼ばれてもよい。ＤＧ送信を用いるＵＣＩ  ｏｎ  ＰＵＳＣＨが、ＵＣＩ  ｏｎ  ＤＧ  ＰＵＳＣＨと呼ばれてもよい。
【００９５】
ＵＣＩ  ｏｎ  ＰＵＳＣＨ用パラメータによって、セミスタティックベータオフセットの値が設定される場合、ＤＧ送信（ＵＣＩ  ｏｎ  ＤＧ  ＰＵＳＣＨ）は、その値を用いてもよい。ＵＣＩ  ｏｎ  ＰＵＳＣＨ用パラメータによって、ダイナミックベータオフセットの値の複数の候補が設定される場合、ＤＧ送信（ＵＣＩ  ｏｎ  ＤＧ  ＰＵＳＣＨ）は、その複数の候補のうち、当該ＰＵＳＣＨをスケジュールするＤＣＩによって指定される値を用いてもよい。
【００９６】
ＵＣＩ  ｏｎ  ＣＧ  ＰＵＳＣＨがサポートされ、且つＵＣＩペイロードが２ビットよりも大きい場合、ＵＥは、次のオプション１、２の１つに従って、ベータオフセットを決定してもよい。
【００９７】
《オプション１》
ＣＧタイプ１送信及びＣＧタイプ２送信は、常にセミスタティックベータオフセットを用いる。例えば、ＵＥは、ＵＣＩ  ｏｎ  ＰＵＳＣＨ用パラメータによって、ダイナミックベータオフセットの値の複数の候補が設定される場合であっても、ＣＧタイプ１送信及びＣＧタイプ２送信は、予め設定されたセミスタティックベータオフセットを用いる。
【００９８】
《オプション２》
ＣＧタイプ１送信は、常にセミスタティックベータオフセットを用いる。ＣＧタイプ２送信は、ＤＧ送信と同じ操作である。
【００９９】
ＵＣＩ  ｏｎ  ＰＵＳＣＨ用パラメータによって、セミスタティックベータオフセットの値が設定される場合、ＤＧ送信及びＣＧタイプ２送信は、その値を用いる。ＵＣＩ  ｏｎ  ＰＵＳＣＨ用パラメータによって、ＤＧ送信に対してダイナミックベータオフセット用の複数の値が設定される場合、ＤＧ送信及びＣＧタイプ２送信は、その複数の値のうち、ＤＣＩによって指定される値を用いる。
【０１００】
ＵＣＩ  ｏｎ  ＣＧ  ＰＵＳＣＨがサポートされ、且つＵＣＩペイロードが２ビットまでである場合、ＵＥは、パンクチャリングを用い、ＵＣＩ  ｏｎ  ＰＵＳＣＨ用パラメータのフィールドを無視する。
【０１０１】
ＵＣＩ  ｏｎ  ＣＧ  ＰＵＳＣＨがサポートされない場合、ＵＥは、ＵＣＩ  ｏｎ  ＰＵＳＣＨ用パラメータのフィールドを無視する。
【０１０２】
態様２によれば、ＣＧタイプ１送信と、ＣＧタイプ２送信と、ＤＧ送信とに対し、共通パラメータを設定することによって、ＲＲＣシグナリングのオーバーヘッドを抑えることができる。また、ＵＥは、共通パラメータを用いて、ＣＧタイプ１送信と、ＣＧタイプ２送信と、ＤＧ送信と、のそれぞれに適した制御を行うことができる。
【０１０３】
（態様３）
態様３では、ＰＵＳＣＨ上のセミパーシステントＣＳＩ（ＳＰ−ＣＳＩ）報告の設定及び制御について説明する。
【０１０４】
ＰＵＳＣＨ上のＳＰ−ＣＳＩ報告がサポートされることが検討されている。ＤＣＩ（アクティベーションシグナリング）が、ＳＰＳ（Semi-Persistent  Scheduling）によって設定されるＰＵＳＣＨを用いるＣＳＩ報告をアクティベートする。ＤＣＩ（ディアクティベーションシグナリング）又は所定時間の経過が、ＰＵＳＣＨを用いるＳＰ−ＣＳＩ報告を解放（release、deactivate）する。
【０１０５】
幾つかの又は全ての上位レイヤパラメータが、ＤＧ送信と、ＰＵＳＣＨを用いるＳＰ−ＣＳＩ報告と、の間において共通であるか否かが決められていない。ＣＧ送信と、ＰＵＳＣＨを用いるＳＰ−ＣＳＩ報告と、の間においても同様の問題がある。
【０１０６】
態様１又は態様２が、ＰＵＳＣＨ上のＳＰ−ＣＳＩに適用されてもよい。ＰＵＳＣＨ上のＳＰ−ＣＳＩ報告は、ＤＣＩによってアクティベートされる点において、ＣＧタイプ２送信と同じである。
【０１０７】
例えば、複数のＵＬ送信方法（ＰＵＳＣＨ上のＳＰ−ＣＳＩ報告、ＣＧタイプ１送信、ＣＧタイプ２送信、ＤＧ送信）の少なくとも２つに対して独立の設定が行われてもよい。例えば、ＰＵＳＣＨ上のＳＰ−ＣＳＩ報告とＣＧタイプ２送信とに対するパラメータが共通であり、ＣＧタイプ１送信に対するパラメータ、ＤＧ送信に対するパラメータと独立であってもよい。例えば、ＰＵＳＣＨ上のＳＰ−ＣＳＩ報告とＣＧタイプ２送信とＤＧ送信とに対するパラメータが共通であり、ＣＧタイプ１送信に対するパラメータに対するパラメータと独立であってもよい。例えば、全てのＵＬ送信方法（ＰＵＳＣＨ上のＳＰ−ＣＳＩ報告、ＣＧタイプ１送信、ＣＧタイプ２送信、ＤＧ送信）に対して、共通の設定が行われてもよい。
【０１０８】
ＰＵＳＣＨ上のＳＰ−ＣＳＩ報告のためのパラメータは、周期、ＣＳＩ−ＲＮＴＩ、送信電力制御を決定するためのＰ０及びαのセットのインデックス、の少なくとも１つを含んでもよい。
【０１０９】
ＰＵＳＣＨ上のＣＳＩ報告に対し、ＣＧタイプ２送信と類似する上位レイヤパラメータとＬ１シグナリングがサポートされることが検討されている。ＰＵＳＣＨ上のＣＳＩ報告に対するＴＰＣに対し、Ｐ０及びαのみがサポートされるため、開ループＴＰＣのみについてサポートされることが合意されている。ＰＵＳＣＨ上のＣＳＩ報告に対し、閉ループＴＰＣがサポートされるか否かは決められていない。
【０１１０】
ＰＵＳＣＨ上のＣＳＩ報告に対する閉ループＴＰＣについて、次のオプション１、２の１つが適用されてもよい。
【０１１１】
《オプション１》
ＰＵＳＣＨ上のＣＳＩ報告に対する閉ループＴＰＣが、サポートされない。ＵＥは、上位レイヤ設定に基づく送信電力を設定し、最大電力が許容される。
【０１１２】
《オプション２》
ＰＵＳＣＨ上のＣＳＩ報告に対する閉ループＴＰＣが、サポートされる。
【０１１３】
＜＜オプション２−１＞＞
閉ループＴＰＣは、アクティベーションシグナリングにおけるＴＰＣコマンドフィールドのみに依存する。
【０１１４】
＜＜オプション２−２＞＞
閉ループＴＰＣは、ＴＰＣグループ共通ＰＤＣＣＨ（例えば、ＬＴＥのＤＣＩフォーマット３／３Ａと同様）におけるＴＰＣコマンドフィールドのみに依存する。
【０１１５】
ＰＵＳＣＨ上のＣＳＩ報告に対する閉ループＴＰＣは、ＰＵＳＣＨ構成パラメータにおけるＴＰＣ累積処理（tpcAccumulation）及びＰＵＳＣＨ  ＴＰＣ用ＲＮＴＩ（tpc-PUSCH-RNTI）のパラメータを流用する。
【０１１６】
tpcAccumulationが有効である場合、ＤＧ送信とＰＵＳＣＨ上のＣＳＩ報告とに対し、ＴＰＣ累積処理が行われる。
【０１１７】
tpcAccumulationが無効である場合、ＤＧ送信とＰＵＳＣＨ上のＣＳＩ報告とに対し、ＴＰＣ累積処理が行われない。
【０１１８】
tcpAccumulationが有効である場合、ＵＥは、次のオプション２−２−１、２−２−２の１つに従って、ＴＰＣ累積処理を行ってもよい。
【０１１９】
＜＜＜オプション２−２−１＞＞＞
ＰＵＳＣＨ上のＣＳＩ報告とＤＧ送信とに対して独立のＴＰＣ累積処理（process）が行われる。
【０１２０】
ＴＰＣ累積処理は、ＰＵＳＣＨ上のＣＳＩ報告とＤＧ送信とに対して独立に行われる。ＤＧ送信をスケジュールするＵＬグラント（ＤＣＩ）内のＴＰＣコマンドは、ＰＵＳＣＨ上のＣＳＩ報告に適用されない。言い換えれば、ＵＥは、ＰＵＳＣＨ上のＣＳＩ報告用の累積値（ＰＵＳＣＨ電力調整状態）と、ＤＧ送信用の累積値（ＰＵＳＣＨ電力調整状態）と、を独立に算出する。
【０１２１】
なお、独立に算出されるＰＵＳＣＨ上のＣＳＩ報告用の累積値（ＰＵＳＣＨ電力調整状態）と、ＤＧ送信用の累積値（ＰＵＳＣＨ電力調整状態）と、について、累積値のリセット条件は、独立に設定されてもよい。例えば、ＰＵＳＣＨ上のＣＳＩ報告用の送信電力パラメータが変更された場合は、ＰＵＳＣＨ上のＣＳＩ報告用の累積値（ＰＵＳＣＨ電力調整状態）のみを０にリセットし、ＤＧ送信用の送信電力パラメータが変更された場合は、ＤＧ送信用の累積値（ＰＵＳＣＨ電力調整状態）のみを０にリセットするとしてもよい。または、ＰＵＳＣＨ上のＣＳＩ報告用の送信電力パラメータが変更された場合も、ＤＧ送信用の送信電力パラメータが変更された場合も、ＰＵＳＣＨ上のＣＳＩ報告用の累積値（ＰＵＳＣＨ電力調整状態）とＤＧ送信用の累積値（ＰＵＳＣＨ電力調整状態）の両方を０にリセットするとしてもよい。
【０１２２】
＜＜＜オプション２−２−２＞＞＞
ＰＵＳＣＨ上のＣＳＩ報告とＤＧ送信とに対して共有のＴＰＣ累積処理が行われる。
【０１２３】
ＤＣＩ内のいかなるＴＰＣコマンドもＰＵＳＣＨ上のＣＳＩ報告とＤＧ送信との両方に適用される。言い換えれば、ＵＥは、ＰＵＳＣＨ上のＣＳＩ報告とＤＧ送信との両方のための累積値（ＰＵＳＣＨ電力調整状態）を算出する。
【０１２４】
＜＜オプション２−３＞＞
閉ループＴＰＣは、アクティベーションシグナリングにおけるＴＰＣコマンドと、ＴＰＣグループ共通（group  common）ＰＤＣＣＨ（例えば、ＬＴＥのＤＣＩフォーマット３／３Ａと同様）におけるＴＰＣコマンドフィールドと、の両方に依存する。
【０１２５】
ＵＥが、同一のＳＰ−ＣＳＩ報告送信のための、アクティベーションシグナリングにおけるＴＰＣコマンドと、ＴＰＣグループ共通ＰＤＣＣＨにおけるＴＰＣコマンドの両方を受信する場合、アクティベーションシグナリングにおけるＴＰＣコマンドが優先される。言い換えれば、ＵＥは、アクティベーションシグナリングにおいて受信されたＴＰＣコマンドのみを適用する。
【０１２６】
ＰＵＳＣＨ上のＣＳＩ報告に対する閉ループＴＰＣは、ＰＵＳＣＨ構成パラメータにおけるＴＰＣ累積処理（tpcAccumulation）及びＰＵＳＣＨ  ＴＰＣ用ＲＮＴＩ（tpc-PUSCH-RNTI）のパラメータを流用する。
【０１２７】
tpcAccumulationが有効である場合、ＤＧ送信とＰＵＳＣＨ上のＣＳＩ報告とに対し、ＴＰＣ累積処理が行われる。
【０１２８】
tpcAccumulationが無効である場合、ＤＧ送信とＰＵＳＣＨ上のＣＳＩ報告とに対し、ＴＰＣ累積処理が行われない。
【０１２９】
tcpAccumulationが有効である場合、ＵＥは、次のオプション２−３−１、２−３−２の１つに従って、ＴＰＣ累積処理を行ってもよい。
【０１３０】
＜＜＜オプション２−３−１＞＞＞
ＰＵＳＣＨ上のＣＳＩ報告とＤＧ送信とに対して独立のＴＰＣ累積処理（process）が行われる。
【０１３１】
ＴＰＣ累積処理は、ＰＵＳＣＨ上のＣＳＩ報告とＤＧ送信とに対して独立に行われる。ＤＧ送信をスケジュールするＵＬグラント（ＤＣＩ）内のＴＰＣコマンドは、ＰＵＳＣＨ上のＣＳＩ報告に適用されない。ＰＵＳＣＨ上のＣＳＩ報告をアクティベートするＤＣＩ内のＴＰＣコマンドは、ＤＧ送信に適用されない。言い換えれば、ＵＥは、ＰＵＳＣＨ上のＣＳＩ報告用の累積値（ＰＵＳＣＨ電力調整状態）と、ＤＧ送信用の累積値（ＰＵＳＣＨ電力調整状態）と、を独立に算出する。
【０１３２】
なお、独立に算出されるＰＵＳＣＨ上のＣＳＩ報告用の累積値（ＰＵＳＣＨ電力調整状態）と、ＤＧ送信用の累積値（ＰＵＳＣＨ電力調整状態）と、について、累積値のリセット条件は、独立に設定されてもよい。例えば、ＰＵＳＣＨ上のＣＳＩ報告用の送信電力パラメータが変更された場合は、ＰＵＳＣＨ上のＣＳＩ報告用の累積値（ＰＵＳＣＨ電力調整状態）のみを０にリセットし、ＤＧ送信用の送信電力パラメータが変更された場合は、ＤＧ送信用の累積値（ＰＵＳＣＨ電力調整状態）のみを０にリセットするとしてもよい。または、ＰＵＳＣＨ上のＣＳＩ報告用の送信電力パラメータが変更された場合も、ＤＧ送信用の送信電力パラメータが変更された場合も、ＰＵＳＣＨ上のＣＳＩ報告用の累積値（ＰＵＳＣＨ電力調整状態）とＤＧ送信用の累積値（ＰＵＳＣＨ電力調整状態）の両方を０にリセットするとしてもよい。
【０１３３】
＜＜＜オプション２−３−２＞＞＞
ＰＵＳＣＨ上のＣＳＩ報告とＤＧ送信とに対して共有のＴＰＣ累積処理が行われる。
【０１３４】
ＤＣＩ内のいかなるＴＰＣコマンドもＰＵＳＣＨ上のＣＳＩ報告とＤＧ送信との両方に適用される。言い換えれば、ＵＥは、ＰＵＳＣＨ上のＣＳＩ報告とＤＧ送信との両方のための累積値（ＰＵＳＣＨ電力調整状態）を算出する。
【０１３５】
態様３によれば、ＰＵＳＣＨ上のＣＳＩ報告と、他のＵＬ送信方法（例えば、ＤＧ送信）とに対し、それぞれに適した制御を行うことができる。
【０１３６】
（無線通信システム）
以下、本発明の一実施形態に係る無線通信システムの構成について説明する。この無線通信システムでは、本発明の上記各実施形態に係る無線通信方法のいずれか又はこれらの組み合わせを用いて通信が行われる。
【０１３７】
図４は、本発明の一実施形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。
【０１３８】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【０１３９】
無線通信システム１は、比較的カバレッジの広いマクロセルＣ１を形成する無線基地局１１と、マクロセルＣ１内に配置され、マクロセルＣ１よりも狭いスモールセルＣ２を形成する無線基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示すものに限られない。
【０１４０】
ユーザ端末２０は、無線基地局１１及び無線基地局１２の双方に接続することができる。ユーザ端末２０は、マクロセルＣ１及びスモールセルＣ２を、ＣＡ又はＤＣにより同時に使用することが想定される。また、ユーザ端末２０は、複数のセル（ＣＣ）（例えば、５個以下のＣＣ、６個以上のＣＣ）を用いてＣＡ又はＤＣを適用してもよい。
【０１４１】
ユーザ端末２０と無線基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と無線基地局１２との間は、相対的に高い周波数帯域（例えば、３．５ＧＨｚ、５ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【０１４２】
無線基地局１１と無線基地局１２との間（又は、２つの無線基地局１２間）は、有線接続（例えば、ＣＰＲＩ（Common  Public  Radio  Interface）に準拠した光ファイバ、Ｘ２インターフェースなど）又は無線接続する構成であってもよい。
【０１４３】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されるものではない。また、各無線基地局１２は、無線基地局１１を介して上位局装置３０に接続されてもよい。
【０１４４】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【０１４５】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【０１４６】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及び／又はＯＦＤＭＡが適用される。
【０１４７】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックを有する帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【０１４８】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下りＬ１／Ｌ２制御チャネルなどが用いられる。ＰＤＳＣＨにより、ユーザデータ、上位レイヤ制御情報、ＳＩＢ（System  Information  Block）などが伝送される。また、ＰＢＣＨにより、ＭＩＢ（Master  Information  Block）が伝送される。
【０１４９】
下りＬ１／Ｌ２制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨにより、ＰＤＳＣＨ及び／又はＰＵＳＣＨのスケジューリング情報を含む下り制御情報（ＤＣＩ：Downlink  Control  Information）などが伝送される。
【０１５０】
なお、ＤＣＩによってスケジューリング情報が通知されてもよい。例えば、ＤＬデータ受信をスケジューリングするＤＣＩは、ＤＬアサインメントと呼ばれてもよいし、ＵＬデータ送信をスケジューリングするＤＣＩは、ＵＬグラントと呼ばれてもよい。
【０１５１】
ＰＣＦＩＣＨにより、ＰＤＣＣＨに用いるＯＦＤＭシンボル数が伝送される。ＰＨＩＣＨにより、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送される。ＥＰＤＣＣＨは、ＰＤＳＣＨ（下り共有データチャネル）と周波数分割多重され、ＰＤＣＣＨと同様にＤＣＩなどの伝送に用いられる。
【０１５２】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨにより、ユーザデータ、上位レイヤ制御情報などが伝送される。また、ＰＵＣＣＨにより、下りリンクの無線品質情報（ＣＱＩ：Channel  Quality  Indicator）、送達確認情報、スケジューリングリクエスト（ＳＲ：Scheduling  Request）などが伝送される。ＰＲＡＣＨにより、セルとの接続確立のためのランダムアクセスプリアンブルが伝送される。
【０１５３】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【０１５４】
＜無線基地局＞
図５は、本発明の一実施形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【０１５５】
下りリンクにより無線基地局１０からユーザ端末２０に送信されるユーザデータは、上位局装置３０から伝送路インターフェース１０６を介してベースバンド信号処理部１０４に入力される。
【０１５６】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【０１５７】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２により増幅され、送受信アンテナ１０１から送信される。送受信部１０３は、本発明に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１５８】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【０１５９】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、無線基地局１０の状態管理、無線リソースの管理などを行う。
【０１６０】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の無線基地局１０と信号を送受信（バックホールシグナリング）してもよい。
【０１６１】
また、送受信部１０３は、上位レイヤシグナリングによってスケジュールされる第１上り共有チャネル（ＣＧタイプ１送信）、上位レイヤシグナリングによってスケジュールされ下り制御情報によってトリガされる第２上り共有チャネル（ＣＧタイプ２送信）、及び下り制御情報によってスケジュールされる第３上り共有チャネル（ＤＧ送信）に対する設定情報を、上位レイヤシグナリングを介して送信してもよい。
【０１６２】
また、送受信部１０３は、第１上り共有チャネル、第２上り共有チャネル、及び第３上り共有チャネルの１つを受信してもよい。
【０１６３】
また、送受信部１０３は、上位レイヤシグナリングによってスケジュールされる第１上り共有チャネル（ＣＧタイプ１送信）、上位レイヤシグナリングによってスケジュールされ下り制御情報によってトリガされる第２上り共有チャネル（ＣＧタイプ２送信）、下り制御情報によってスケジュールされる第３上り共有チャネル（ＤＧ送信）、及び上位レイヤシグナリングによってスケジュールされ下り制御情報によってトリガされ上り共有チャネルにおいて送信されるＣＳＩ報告（ＳＰ−ＣＳＩ報告）に対する設定情報を、上位レイヤシグナリングを介して送信してもよい。また、送受信部１０３は、上位レイヤシグナリングによってスケジュールされる第１上り共有チャネル（ＣＧタイプ１送信）、上位レイヤシグナリングによってスケジュールされ下り制御情報によってトリガされる第２上り共有チャネル（ＣＧタイプ２送信）、下り制御情報によってスケジュールされる第３上り共有チャネル（ＤＧ送信）、及び上位レイヤシグナリングによってスケジュールされ下り制御情報によってトリガされ上り共有チャネルにおいて送信されるＣＳＩ報告（ＳＰ−ＣＳＩ報告）の少なくとも２つに対する設定情報を、上位レイヤシグナリングを介して送信してもよい。
【０１６４】
また、送受信部１０３は、ＳＰ−ＣＳＩ報告を受信してもよい。
【０１６５】
図６は、本発明の一実施形態に係る無線基地局の機能構成の一例を示す図である。なお、本例では、本実施形態における特徴部分の機能ブロックを主に示しており、無線基地局１０は、無線通信に必要な他の機能ブロックも有しているものとする。
【０１６６】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、無線基地局１０に含まれていればよく、一部又は全部の構成がベースバンド信号処理部１０４に含まれなくてもよい。
【０１６７】
制御部（スケジューラ）３０１は、無線基地局１０全体の制御を実施する。制御部３０１は、本発明に係る技術分野での共通認識に基づいて説明されるコントローラ、制御回路又は制御装置から構成することができる。
【０１６８】
制御部３０１は、例えば、送信信号生成部３０２による信号の生成、マッピング部３０３による信号の割り当てなどを制御する。また、制御部３０１は、受信信号処理部３０４による信号の受信処理、測定部３０５による信号の測定などを制御する。
【０１６９】
制御部３０１は、システム情報、下りデータ信号（例えば、ＰＤＳＣＨで送信される信号）、下り制御信号（例えば、ＰＤＣＣＨ及び／又はＥＰＤＣＣＨで送信される信号。送達確認情報など）のスケジューリング（例えば、リソース割り当て）を制御する。また、制御部３０１は、上りデータ信号に対する再送制御の要否を判定した結果などに基づいて、下り制御信号、下りデータ信号などの生成を制御する。また、制御部３０１は、同期信号（例えば、ＰＳＳ（Primary  Synchronization  Signal）／ＳＳＳ（Secondary  Synchronization  Signal））、下り参照信号（例えば、ＣＲＳ、ＣＳＩ−ＲＳ、ＤＭＲＳ）などのスケジューリングの制御を行う。
【０１７０】
また、制御部３０１は、上りデータ信号（例えば、ＰＵＳＣＨで送信される信号）、上り制御信号（例えば、ＰＵＣＣＨ及び／又はＰＵＳＣＨで送信される信号、送達確認情報など）、ランダムアクセスプリアンブル（例えば、ＰＲＡＣＨで送信される信号）、上り参照信号などのスケジューリングを制御する。
【０１７１】
また、制御部３０１は、第１上り共有チャネル、第２上り共有チャネル、及び第３上り共有チャネルのうち、少なくとも１つの上り共有チャネルの送信に対し、他の上り共有チャネルの送信と異なる制御を行うための設定情報を決定してもよい。
【０１７２】
送信信号生成部３０２は、制御部３０１からの指示に基づいて、下り信号（下り制御信号、下りデータ信号、下り参照信号など）を生成して、マッピング部３０３に出力する。送信信号生成部３０２は、本発明に係る技術分野での共通認識に基づいて説明される信号生成器、信号生成回路又は信号生成装置から構成することができる。
【０１７３】
送信信号生成部３０２は、例えば、制御部３０１からの指示に基づいて、下りデータの割り当て情報を通知するＤＬアサインメント及び／又は上りデータの割り当て情報を通知するＵＬグラントを生成する。ＤＬアサインメント及びＵＬグラントは、いずれもＤＣＩであり、ＤＣＩフォーマットに従う。また、下りデータ信号には、各ユーザ端末２０からのチャネル状態情報（ＣＳＩ：Channel  State  Information）などに基づいて決定された符号化率、変調方式などに従って符号化処理、変調処理が行われる。
【０１７４】
マッピング部３０３は、制御部３０１からの指示に基づいて、送信信号生成部３０２で生成された下り信号を、所定の無線リソースにマッピングして、送受信部１０３に出力する。マッピング部３０３は、本発明に係る技術分野での共通認識に基づいて説明されるマッパー、マッピング回路又はマッピング装置から構成することができる。
【０１７５】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本発明に係る技術分野での共通認識に基づいて説明される信号処理器、信号処理回路又は信号処理装置から構成することができる。
【０１７６】
受信信号処理部３０４は、受信処理により復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び／又は受信処理後の信号を、測定部３０５に出力する。
【０１７７】
測定部３０５は、受信した信号に関する測定を実施する。測定部３０５は、本発明に係る技術分野での共通認識に基づいて説明される測定器、測定回路又は測定装置から構成することができる。
【０１７８】
例えば、測定部３０５は、受信した信号に基づいて、ＲＲＭ（Radio  Resource  Management）測定、ＣＳＩ（Channel  State  Information）測定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio））、信号強度（例えば、ＲＳＳＩ（Received  Signal  Strength  Indicator））、伝搬路情報（例えば、ＣＳＩ）などについて測定してもよい。測定結果は、制御部３０１に出力されてもよい。
【０１７９】
＜ユーザ端末＞
図７は、本発明の一実施形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１８０】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本発明に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０１８１】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０１８２】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。送受信部２０３は、ベースバンド信号処理部２０４から出力されたベースバンド信号を無線周波数帯に変換して送信する。送受信部２０３で周波数変換された無線周波数信号は、アンプ部２０２により増幅され、送受信アンテナ２０１から送信される。
【０１８３】
また、送受信部２０３は、上位レイヤシグナリングによってスケジュールされる第１上り共有チャネル（ＣＧタイプ１送信）、上位レイヤシグナリングによってスケジュールされ下り制御情報によってトリガされる第２上り共有チャネル（ＣＧタイプ２送信）、及び下り制御情報によってスケジュールされる第３上り共有チャネル（ＤＧ送信）に対する設定情報を、上位レイヤシグナリングを介して受信してもよい。
【０１８４】
また、送受信部２０３は、第１上り共有チャネル、第２上り共有チャネル、及び第３上り共有チャネルの１つを送信してもよい。
【０１８５】
また、送受信部２０３は、上位レイヤシグナリングによってスケジュールされる第１上り共有チャネル（ＣＧタイプ１送信）、上位レイヤシグナリングによってスケジュールされ下り制御情報によってトリガされる第２上り共有チャネル（ＣＧタイプ２送信）、下り制御情報によってスケジュールされる第３上り共有チャネル（ＤＧ送信）、及び上位レイヤシグナリングによってスケジュールされ下り制御情報によってトリガされ上り共有チャネルにおいて送信されるＣＳＩ報告（ＳＰ−ＣＳＩ報告）に対する設定情報を、上位レイヤシグナリングを介して受信してもよい。また、送受信部２０３は、上位レイヤシグナリングによってスケジュールされる第１上り共有チャネル（ＣＧタイプ１送信）、上位レイヤシグナリングによってスケジュールされ下り制御情報によってトリガされる第２上り共有チャネル（ＣＧタイプ２送信）、下り制御情報によってスケジュールされる第３上り共有チャネル（ＤＧ送信）、及び上位レイヤシグナリングによってスケジュールされ下り制御情報によってトリガされ上り共有チャネルにおいて送信されるＣＳＩ報告（ＳＰ−ＣＳＩ報告）の少なくとも２つに対する設定情報を、上位レイヤシグナリングを介して受信してもよい。
【０１８６】
また、送受信部２０３は、上り共有チャネルにおいてＳＰ−ＣＳＩ報告を送信してもよい。
【０１８７】
図８は、本発明の一実施形態に係るユーザ端末の機能構成の一例を示す図である。なお、本例においては、本実施形態における特徴部分の機能ブロックを主に示しており、ユーザ端末２０は、無線通信に必要な他の機能ブロックも有しているものとする。
【０１８８】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０１８９】
制御部４０１は、ユーザ端末２０全体の制御を実施する。制御部４０１は、本発明に係る技術分野での共通認識に基づいて説明されるコントローラ、制御回路又は制御装置から構成することができる。
【０１９０】
制御部４０１は、例えば、送信信号生成部４０２による信号の生成、マッピング部４０３による信号の割り当てなどを制御する。また、制御部４０１は、受信信号処理部４０４による信号の受信処理、測定部４０５による信号の測定などを制御する。
【０１９１】
制御部４０１は、無線基地局１０から送信された下り制御信号及び下りデータ信号を、受信信号処理部４０４から取得する。制御部４０１は、下り制御信号及び／又は下りデータ信号に対する再送制御の要否を判定した結果などに基づいて、上り制御信号及び／又は上りデータ信号の生成を制御する。
【０１９２】
また、制御部４０１は、設定情報に基づいて、第１上り共有チャネル、第２上り共有チャネル、及び第３上り共有チャネルのうち、少なくとも１つの上り共有チャネルの送信に対し、他の上り共有チャネルの送信と異なる制御を行ってもよい。
【０１９３】
また、設定情報は、第１上り共有チャネル、第２上り共有チャネル、及び第３上り共有チャネルのうち、少なくとも２つの上り共有チャネルに対して独立のパラメータを含んでもよい。
【０１９４】
また、設定情報は、第１上り共有チャネル、第２上り共有チャネル、第３上り共有チャネル、上り共有チャネル上のＳＰ−ＣＳＩ報告のうち、少なくとも２つの上り共有チャネルに対して独立のパラメータを含んでもよい。
【０１９５】
また、設定情報は、第２上り共有チャネル及び第３上り共有チャネルに共通のパラメータと、第１上り共有チャネルのみのパラメータと、を含んでもよい。また、設定情報は、第１上り共有チャネル及び第２上り共有チャネルに共通のパラメータと、第３上り共有チャネルのみのパラメータと、を含んでもよい。
【０１９６】
また、設定情報は、上り共有チャネル上のＳＰ−ＣＳＩ報告及び第２上り共有チャネルに共通のパラメータを含んでもよい。
【０１９７】
また、設定情報は、第１上り共有チャネル、第２上り共有チャネル、及び第３上り共有チャネルに共通のパラメータであってもよい。
【０１９８】
また、設定情報は、第１上り共有チャネル、第２上り共有チャネル、第３上り共有チャネル、上り共有チャネル上のＳＰ−ＣＳＩ報告に共通のパラメータであってもよい。
【０１９９】
また、設定情報は、上り共有チャネルに対するリソース割り当てのタイプと、送信電力制御値の累積処理の有無と、上り共有チャネルにおいて送信される上り制御情報に対するリソース量の決定のための情報と、の少なくとも１つの特定のパラメータを含んでもよい。また、制御部４０１は、特定のパラメータを用いて、第１上り共有チャネル、第２上り共有チャネル、及び第３上り共有チャネルのうち、少なくとも１つの上り共有チャネルの送信に対し、他の上り共有チャネルの送信と異なる制御を行ってもよい。
【０２００】
また、設定情報は、上り共有チャネルに対するリソース割り当てのタイプと、送信電力制御値の累積処理の有無と、上り共有チャネルにおいて送信される上り制御情報に対するリソース量の決定のための情報と、の少なくとも１つの特定のパラメータを含んでもよい。また、制御部４０１は、特定のパラメータを用いて、第１上り共有チャネル、第２上り共有チャネル、第３上り共有チャネル、上り共有チャネル上のＳＰ−ＣＳＩ報告のうち、少なくとも１つの上り共有チャネルの送信に対し、他の上り共有チャネルの送信と異なる制御を行ってもよい。
【０２０１】
送信信号生成部４０２は、制御部４０１からの指示に基づいて、上り信号（上り制御信号、上りデータ信号、上り参照信号など）を生成して、マッピング部４０３に出力する。送信信号生成部４０２は、本発明に係る技術分野での共通認識に基づいて説明される信号生成器、信号生成回路又は信号生成装置から構成することができる。
【０２０２】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、無線基地局１０から通知される下り制御信号にＵＬグラントが含まれている場合に、制御部４０１から上りデータ信号の生成を指示される。
【０２０３】
マッピング部４０３は、制御部４０１からの指示に基づいて、送信信号生成部４０２で生成された上り信号を無線リソースにマッピングして、送受信部２０３へ出力する。マッピング部４０３は、本発明に係る技術分野での共通認識に基づいて説明されるマッパー、マッピング回路又はマッピング装置から構成することができる。
【０２０４】
受信信号処理部４０４は、送受信部２０３から入力された受信信号に対して、受信処理（例えば、デマッピング、復調、復号など）を行う。ここで、受信信号は、例えば、無線基地局１０から送信される下り信号（下り制御信号、下りデータ信号、下り参照信号など）である。受信信号処理部４０４は、本発明に係る技術分野での共通認識に基づいて説明される信号処理器、信号処理回路又は信号処理装置から構成することができる。また、受信信号処理部４０４は、本発明に係る受信部を構成することができる。
【０２０５】
受信信号処理部４０４は、受信処理により復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び／又は受信処理後の信号を、測定部４０５に出力する。
【０２０６】
測定部４０５は、受信した信号に関する測定を実施する。測定部４０５は、本発明に係る技術分野での共通認識に基づいて説明される測定器、測定回路又は測定装置から構成することができる。
【０２０７】
例えば、測定部４０５は、受信した信号に基づいて、ＲＲＭ測定、ＣＳＩ測定などを行ってもよい。測定部４０５は、受信電力（例えば、ＲＳＲＰ）、受信品質（例えば、ＲＳＲＱ、ＳＩＮＲ）、信号強度（例えば、ＲＳＳＩ）、伝搬路情報（例えば、ＣＳＩ）などについて測定してもよい。測定結果は、制御部４０１に出力されてもよい。
【０２０８】
＜ハードウェア構成＞
なお、上記実施形態の説明に用いたブロック図は、機能単位のブロックを示している。これらの機能ブロック（構成部）は、ハードウェア及び／又はソフトウェアの任意の組み合わせによって実現される。また、各機能ブロックの実現方法は特に限定されない。すなわち、各機能ブロックは、物理的及び／又は論理的に結合した１つの装置を用いて実現されてもよいし、物理的及び／又は論理的に分離した２つ以上の装置を直接的及び／又は間接的に（例えば、有線及び／又は無線を用いて）接続し、これら複数の装置を用いて実現されてもよい。
【０２０９】
例えば、本発明の一実施形態における無線基地局、ユーザ端末などは、本発明の無線通信方法の処理を行うコンピュータとして機能してもよい。図９は、本発明の一実施形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０２１０】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０２１１】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、１以上のプロセッサによって実行されてもよい。なお、プロセッサ１００１は、１以上のチップによって実装されてもよい。
【０２１２】
無線基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び／又は書き込みを制御したりすることによって実現される。
【０２１３】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０２１４】
また、プロセッサ１００１は、プログラム（プログラムコード）、ソフトウェアモジュール、データなどを、ストレージ１００３及び／又は通信装置１００４からメモリ１００２に読み出し、これらに従って各種の処理を実行する。プログラムとしては、上述の実施形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０２１５】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本発明の一実施形態に係る無線通信方法を実施するために実行可能なプログラム（プログラムコード）、ソフトウェアモジュールなどを保存することができる。
【０２１６】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０２１７】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び／又は時分割複信（ＴＤＤ：Time  Division  Duplex）を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。
【０２１８】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０２１９】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０２２０】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０２２１】
（変形例）
なお、本明細書において説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０２２２】
また、無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジーに依存しない固定の時間長（例えば、１ｍｓ）であってもよい。
【０２２３】
さらに、スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。また、スロットは、複数のミニスロットを含んでもよい。各ミニスロットは、時間領域において１つ又は複数のシンボルによって構成されてもよい。また、ミニスロットは、サブスロットと呼ばれてもよい。
【０２２４】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及び／又はＴＴＩは、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０２２５】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０２２６】
ＴＴＩは、チャネル符号化されたデータパケット（トランスポートブロック）、コードブロック、及び／又はコードワードの送信時間単位であってもよいし、スケジューリング、リンクアダプテーションなどの処理単位となってもよい。なお、ＴＴＩが与えられたとき、実際にトランスポートブロック、コードブロック、及び／又はコードワードがマッピングされる時間区間（例えば、シンボル数）は、当該ＴＴＩよりも短くてもよい。
【０２２７】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０２２８】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、又はロングサブフレームなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、又は、サブスロットなどと呼ばれてもよい。
【０２２９】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０２３０】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームは、それぞれ１つ又は複数のリソースブロックによって構成されてもよい。なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０２３１】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０２３２】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０２３３】
また、本明細書において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０２３４】
本明細書においてパラメータなどに使用する名称は、いかなる点においても限定的な名称ではない。例えば、様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０２３５】
本明細書において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２３６】
また、情報、信号などは、上位レイヤから下位レイヤ、及び／又は下位レイヤから上位レイヤへ出力され得る。情報、信号などは、複数のネットワークノードを介して入出力されてもよい。
【０２３７】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２３８】
情報の通知は、本明細書において説明した態様／実施形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０２３９】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））を用いて通知されてもよい。
【０２４０】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２４１】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２４２】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２４３】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び／又は無線技術（赤外線、マイクロ波など）を使用してウェブサイト、サーバ、又は他のリモートソースから送信される場合、これらの有線技術及び／又は無線技術は、伝送媒体の定義内に含まれる。
【０２４４】
本明細書において使用する「システム」及び「ネットワーク」という用語は、互換的に使用される。
【０２４５】
本明細書においては、「基地局（ＢＳ：Base  Station）」、「無線基地局」、「ｅＮＢ」、「ｇＮＢ」、「セル」、「セクタ」、「セルグループ」、「キャリア」及び「コンポーネントキャリア」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０２４６】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び／又は基地局サブシステムのカバレッジエリアの一部又は全体を指す。
【０２４７】
本明細書においては、「移動局（ＭＳ：Mobile  Station）」、「ユーザ端末（user  terminal）」、「ユーザ装置（ＵＥ：User  Equipment）」及び「端末」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０２４８】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２４９】
また、本明細書における無線基地局は、ユーザ端末で読み替えてもよい。例えば、無線基地局及びユーザ端末間の通信を、複数のユーザ端末間（Ｄ２Ｄ：Device-to-Device）の通信に置き換えた構成について、本発明の各態様／実施形態を適用してもよい。この場合、上述の無線基地局１０が有する機能をユーザ端末２０が有する構成としてもよい。また、「上り」及び「下り」などの文言は、「サイド」と読み替えられてもよい。例えば、上りチャネルは、サイドチャネルと読み替えられてもよい。
【０２５０】
同様に、本明細書におけるユーザ端末は、無線基地局で読み替えてもよい。この場合、上述のユーザ端末２０が有する機能を無線基地局１０が有する構成としてもよい。
【０２５１】
本明細書において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２５２】
本明細書において説明した各態様／実施形態は単独で用いてもよいし、組み合わせて用いてもよいし、実行に伴って切り替えて用いてもよい。また、本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０２５３】
本明細書において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム及び／又はこれらに基づいて拡張された次世代システムに適用されてもよい。
【０２５４】
本明細書において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２５５】
本明細書において使用する「第１の」、「第２の」などの呼称を使用した要素へのいかなる参照も、それらの要素の量又は順序を全般的に限定しない。これらの呼称は、２つ以上の要素間を区別する便利な方法として本明細書において使用され得る。したがって、第１及び第２の要素の参照は、２つの要素のみが採用され得ること又は何らかの形で第１の要素が第２の要素に先行しなければならないことを意味しない。
【０２５６】
本明細書において使用する「判断（決定）（determining）」という用語は、多種多様な動作を包含する場合がある。例えば、「判断（決定）」は、計算（calculating）、算出（computing）、処理（processing）、導出（deriving）、調査（investigating）、探索（looking  up）（例えば、テーブル、データベース又は別のデータ構造での探索）、確認（ascertaining）などを「判断（決定）」することであるとみなされてもよい。また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２５７】
本明細書において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」と読み替えられてもよい。
【０２５８】
本明細書において、２つの要素が接続される場合、１又はそれ以上の電線、ケーブル及び／又はプリント電気接続を用いて、並びにいくつかの非限定的かつ非包括的な例として、無線周波数領域、マイクロ波領域及び／又は光（可視及び不可視の両方）領域の波長を有する電磁エネルギーなどを用いて、互いに「接続」又は「結合」されると考えることができる。
【０２５９】
本明細書において、「ＡとＢが異なる」という用語は、「ＡとＢが互いに異なる」ことを意味してもよい。「離れる」、「結合される」などの用語も同様に解釈されてもよい。
【０２６０】
本明細書又は請求の範囲において、「含む（including）」、「含んでいる（comprising）」、及びそれらの変形が使用されている場合、これらの用語は、用語「備える」と同様に、包括的であることが意図される。さらに、本明細書あるいは請求の範囲において使用されている用語「又は（or）」は、排他的論理和ではないことが意図される。
【０２６１】
以上、本発明について詳細に説明したが、当業者にとっては、本発明が本明細書中に説明した実施形態に限定されないということは明らかである。本発明は、請求の範囲の記載に基づいて定まる本発明の趣旨及び範囲を逸脱することなく修正及び変更態様として実施することができる。したがって、本明細書の記載は、例示説明を目的とし、本発明に対して何ら制限的な意味をもたらさない。
【図１】
2019142341.tif 000003
【図２】
2019142341.tif 000004
【図３】
2019142341.tif 000005
【図４】
2019142341.tif 000006
【図５】
2019142341.tif 000007
【図６】
2019142341.tif 000008
【図７】
2019142341.tif 000009
【図８】
2019142341.tif 000010
【図９】
2019142341.tif 000011
【国際調査報告】
2019142341.tif 000012
2019142341.tif 000013
2019142341.tif 000014